(57)【要約】【課題】蛇行状の抵抗体を有するチップ抵抗器において、コーナー部が破壊されても抵抗体の電気的特性を劣化させることなく、かつ、放電を抑えることにより、耐サージ特性を向上させることができるチップ抵抗器を提供する。【解決手段】抵抗体３０は、切欠部Ｌ１、Ｌ２やトリミングカーフＴにより複数のターン領域を形成することにより蛇行状に形成され、該ターン領域の電流経路の幅で一対の上面電極を結ぶ方向である電極間方向の電流経路の幅Ｓ２、Ｓ５が、該電極間方向に直角な方向の電流経路の幅Ｓ１よりも大きく形成され、上面電極２０、２２において、他方の上面電極側に向いた突出状の角部Ｋ２０、Ｋ２１、Ｋ２２にＲ面又はＣ面が形成され、また、抵抗体３０における突出状の角部Ｋ３０、Ｋ３１、Ｋ３２、Ｋ３３等にＲ面又はＣ面が形成されている。【選択図】図４
2008305985.tif 000002
【特許請求の範囲】
【請求項１】
チップ抵抗器であって、
絶縁基板上に形成された一対の上面電極で、他方の上面電極側に向いた突出状の角部にＲ面又はＣ面が形成された上面電極と、
該一対の上面電極間に接続された抵抗体で、切欠部及びトリミングカーフによって複数のターン領域を形成することにより蛇行状に形成され、上面電極と接続する端部領域の電流経路が、一対の上面電極を結ぶ方向である電極間方向と略直角であり、該ターン領域の電流経路の少なくとも一部の幅が、該電極間方向に略直角な方向の電流経路の幅よりも大きく形成され、突出状の角部にＲ面又はＣ面が形成された抵抗体と、
を有することを特徴とするチップ抵抗器。
【請求項２】
上記ターン領域における電極間方向と略平行な方向の電流経路の幅が、該電極間方向に略直角な方向の電流経路の幅よりも大きいことを特徴とする請求項１に記載のチップ抵抗器。
【請求項３】
抵抗体において、切欠部により形成されたターン領域の該切欠部から見て外側の輪郭が、ターン領域における電極間方向の電流経路の該切欠部から見て外側の輪郭と、該ターン領域に連設した電流経路の該切欠部から見て外側の輪郭とに接する楕円で、楕円の長軸と短軸の交点が該切欠部内又は該切欠部の輪郭上に存在する楕円の軌跡よりも該切欠部から見て外側にあることを特徴とする請求項１又は２に記載のチップ抵抗器。
【請求項４】
チップ抵抗器であって、
絶縁基板上に形成された一対の上面電極で、他方の上面電極側に向いた突出状の角部にＲ面又はＣ面が形成された上面電極と、
該一対の上面電極間に接続された抵抗体で、
トリミングカーフが設けられた抵抗体本体部と、
抵抗体本体部と上面電極との間に、一対の上面電極を結ぶ方向である電極間方向とは略直角の方向に伸びて形成され、上面電極と接続する一対の帯状部と、
抵抗体本体部と帯状部とを接続する接続部で、電極間方向とは直角の方向の端部において抵抗体本体部と帯状部とを接続する接続部と、を有し、
帯状部と接続部と抵抗体本体とで囲まれた切欠部と、抵抗体本体部に設けられたトリミングカーフとによって複数のターン領域を形成することにより蛇行状に形成された抵抗体で、接続部の電極間方向とは直角方向の幅と、抵抗体本体部におけるトリミングカーフ形成位置の電流経路の幅とが、帯状部の電極間方向の幅よりも大きく形成され、突出状の角部にＲ面又はＣ面が形成された抵抗体と、
を有することを特徴とするチップ抵抗器。
【請求項５】
抵抗体において、帯状部におけるターン領域の該切欠部から見て外側の輪郭が、接続部の該切欠部から見て外側の輪郭と、帯状部の該切欠部から見て外側の輪郭とに接する楕円で、楕円の長軸と短軸の交点が該切欠部内又は該切欠部の輪郭上に存在する楕円の軌跡よりも該切欠部から見て外側にあることを特徴とする請求項４に記載のチップ抵抗器。
【請求項６】
抵抗体において、ターン領域の内側の切欠部における奥側のコーナー部が略円弧状又は略楕円弧状に形成されていることを特徴とする請求項１又は２又は３又は４又は５に記載のチップ抵抗器。
【請求項７】
抵抗体に形成された切欠部が、奥側から開口側にいくに従い幅広に形成されていることを特徴とする請求項１又は２又は３又は４又は５又は６に記載のチップ抵抗器。
【請求項８】
上面電極が、絶縁基板における中心線で、一対の上面電極を結ぶ方向の中心線を跨ぐように形成された上面電極本体部と、上面電極本体部の内側に突出して形成された突出部で、該中心線を跨がないように形成された突出部と、を有することを特徴とする請求項１又は２又は３又は４又は５又は６又は７に記載のチップ抵抗器。
【請求項９】
上面電極本体部の電極間方向の幅が、電極間方向と直角な方向で突出部形成側から反対側に向けて小さくなるように形成され、これにより、上面電極と上面電極に接続した抵抗体の端部領域とで形成された切欠部が、奥側から開口側にいくに従い幅広に形成されていることを特徴とする請求項８に記載のチップ抵抗器。
【請求項１０】
上面電極が、絶縁基板における中心線で、一対の上面電極を結ぶ方向の中心線を跨がないように形成されていることを特徴とする請求項１又は２又は３又は４又は５又は６又は７に記載のチップ抵抗器。
【発明の詳細な説明】
【技術分野】
【０００１】
本発明は、チップ部品に関するものであり、特に、耐サージ性を有するチップ抵抗器に関するものである。
【背景技術】
【０００２】
従来より、耐サージチップ抵抗器として、特許文献１に示すものが存在する。この特許文献１に記載のチップ抵抗器は、図１５に示すように構成され、基板１０１１の上面に上面電極１０１２と、蛇行状に形成された抵抗体１０１３とが形成されていて、上面電極１０１２に基板１０１１の内側に向かって突出する凸部を設けて、抵抗体１０１３と上面電極１０１２との間に隙間を設けることにより、チップ抵抗器の両端にサージ電圧が印加された場合でも抵抗体１０１３と上面電極１０１２間に発生する放電を抑制することができるものである。
【０００３】
また、出願人は、他の先行技術文献として特許文献２に示すものを知得している。
【特許文献１】特開２０００−２１６００１号公報
【特許文献２】特開２００６−１９６９４号公報
【発明の開示】
【発明が解決しようとする課題】
【０００４】
しかし、上記特許文献１に記載のチップ抵抗器においては、抵抗体１０１３の両端部分１０１３−１が一対の上面電極間の方向（Ｘ１−Ｘ２方向、電極間方向）に向いているため、その分抵抗体１０１３のターン数が多くなってしまう。
【０００５】
本来抵抗体においては、電流は最短のルートを通ろうとするので、抵抗体の内側のコーナー部に電流が集中しやすくなり、よって、該コーナー部が過度に高温になって破壊されやすい。つまり、図１５の例では、コーナー部Ｃ１やコーナー部Ｃ２のような内側のコーナー部が破壊されやすい。
【０００６】
よって、図１５の例では、抵抗体１０１３の両端部分１０１３−１が電極間方向を向いていてその分ターン数が多くなることから、特に、コーナー部Ｃ１の領域が破壊されやすくなる。ただし、特許文献２における図１１、図２１の例においては、抵抗体の両端部分が、電極間方向とは直角の方向を向いているので、その分ターン数を少なくできるといえる。
【０００７】
また、上記のように蛇行形状の抵抗体においては、コーナー部が破壊されやすいので、図１５のコーナー部Ｃ２の幅Ｓ１１がコーナー部以外の抵抗体の電流経路の幅Ｓ１２と同じ幅で形成される場合には、コーナー部Ｃ２が破壊されると、コーナー部Ｃ２の電流経路の幅が狭くなってしまい、抵抗体１０１３の抵抗値変化が許容範囲を超えてしまう等抵抗体の電気的特性が劣化してしまうという問題があった。
【０００８】
また、上面電極１０１２の角部、特に、外側に突出した角部Ｋ１が直角に形成されている場合には、サージ電圧が印加された場合には、抵抗体１０１３との間で放電を生じやすいという問題があった。また、抵抗体１０１３においても、同様に、角部、特に、外側に突出した角部（例えば、角部Ｋ２）が直角に形成されている場合には、同様の問題が生じる可能性があった。
【０００９】
例えば、図１５に示すように、抵抗体１０１３の両端の角部Ｋ２が上面電極１０１２の上面に形成されている場合には、角部Ｋ２との間で放電が生じるおそれは小さいが、仮に、抵抗体１０１３がずれて形成されることにより、角部Ｋ２が上面電極１０１２の上面に形成されない場合には、その角部Ｋ２と上面電極１０１２の角部Ｋ１との間で放電が生じる可能性がある。
【００１０】
また、近年、チップ抵抗器の耐サージ特性の充放電試験に用いられるコンデンサの容量が大きくなる等、より大きなサージ電力に耐えるチップ抵抗器が求められている。
【００１１】
そこで、本発明は、蛇行状の抵抗体を有するチップ抵抗器において、コーナー部が破壊されても抵抗体の電気的特性を劣化させることなく、かつ、放電を抑えることにより、耐サージ特性を向上させることができるチップ抵抗器を提供することを目的とするものである。
【課題を解決するための手段】
【００１２】
本発明は上記問題点を解決するために創作されたものであって、第１には、チップ抵抗器であって、絶縁基板上に形成された一対の上面電極で、他方の上面電極側に向いた突出状の角部にＲ面又はＣ面が形成された上面電極と、該一対の上面電極間に接続された抵抗体で、切欠部及びトリミングカーフによって複数のターン領域を形成することにより蛇行状に形成され、上面電極と接続する端部領域の電流経路が、一対の上面電極を結ぶ方向である電極間方向と略直角であり、該ターン領域の電流経路の少なくとも一部の幅が、該電極間方向に略直角な方向の電流経路の幅よりも大きく形成され、突出状の角部にＲ面又はＣ面が形成された抵抗体と、を有することを特徴とする。
【００１３】
この第１の構成においては、該ターン領域の電流経路の少なくとも一部の幅が、該電極間方向に直角な方向の電流経路の幅よりも大きく形成されているので、電流経路における内側の領域に電流が集中することにより、ターン領域の内側の部分が破壊された場合でも、抵抗体のターン領域の電流経路の幅を確保でき、電流経路の幅が短くなることにより抵抗値等の電気的特性が許容範囲以上に変化する等抵抗値等の電気的特性が変化してしまうことがない。また、上面電極の他方の上面電極側に向いた突出状の角部にＲ面又はＣ面が形成されているとともに、抵抗体における突出状の角部にＲ面又はＣ面が形成されているので、各角部同士で放電が発生するおそれを小さくでき、耐サージ特性を向上させることができる。また、抵抗体において上面電極と接続する端部領域の電流経路が、電極間方向と略直角となっているので、抵抗体のターン数を少なくすることができ、ターン数が少なくなった分ターン領域の内側の領域が破壊されるおそれを少なくしている。よって、全体として、耐サージ特性が向上したチップ抵抗器とすることができる。
【００１４】
なお、上記第１の構成において、該ターン領域の電流経路の幅で一対の上面電極を結ぶ方向である電極間方向の電流経路の幅が、一対の上面電極を結ぶ方向に直角な方向の電流経路の幅の１．１５〜１．２５倍であるとするのが好ましい。
【００１５】
なお、上記第１の構成において、該ターン領域の電流経路の少なくとも一部の幅が、上記上面電極と接続する端部領域の電流経路の幅よりも大きく形成されているものとしてもよく、また、ターン領域の電流経路の全ての位置の幅が、該電極間方向に略直角な方向の電流経路の幅よりも大きく形成されているものとしてもよい。
【００１６】
また、第２には、上記第１の構成において、上記ターン領域における電極間方向と略平行な方向の電流経路の幅が、該電極間方向に略直角な方向の電流経路の幅よりも大きいことを特徴とする。
【００１７】
また、第３には、上記第１又は第２の構成において、抵抗体において、切欠部により形成されたターン領域の該切欠部から見て外側の輪郭が、ターン領域における電極間方向の電流経路の該切欠部から見て外側の輪郭と、該ターン領域に連設した電流経路の該切欠部から見て外側の輪郭とに接する楕円で、楕円の長軸と短軸の交点が該切欠部内又は該切欠部の輪郭上に存在する楕円の軌跡よりも該切欠部から見て外側にあることを特徴とする。
【００１８】
よって、ターン領域の幅を広く確保でき、コーナー部に電流が集中することによりコーナー部が破壊された場合でも、抵抗体のターン領域の電流経路の幅を確保でき、電流経路の幅が短くなることにより抵抗値等の電気的特性が許容範囲以上に変化する等抵抗値等の電気的特性が変化してしまうことがない。
【００１９】
また、第４には、チップ抵抗器であって、絶縁基板上に形成された一対の上面電極で、他方の上面電極側に向いた突出状の角部にＲ面又はＣ面が形成された上面電極と、該一対の上面電極間に接続された抵抗体で、トリミングカーフが設けられた抵抗体本体部と、抵抗体本体部と上面電極との間に、一対の上面電極を結ぶ方向である電極間方向とは略直角の方向に伸びて形成され、上面電極と接続する一対の帯状部と、抵抗体本体部と帯状部とを接続する接続部で、電極間方向とは直角の方向の端部において抵抗体本体部と帯状部とを接続する接続部と、を有し、帯状部と接続部と抵抗体本体とで囲まれた切欠部と、抵抗体本体部に設けられたトリミングカーフとによって複数のターン領域を形成することにより蛇行状に形成された抵抗体で、接続部の電極間方向とは直角方向の幅と、抵抗体本体部におけるトリミングカーフ形成位置の電流経路の幅とが、帯状部の電極間方向の幅よりも大きく形成され、突出状の角部にＲ面又はＣ面が形成された抵抗体と、を有することを特徴とする。
【００２０】
この第４の構成においては、接続部の電極間方向とは直角方向の幅と、抵抗体本体部におけるトリミングカーフ形成位置の電流経路の幅とが、帯状部の電極間方向の幅よりも大きく形成されているので、電流経路における内側の領域に電流が集中することにより、ターン領域の内側の部分が破壊された場合でも、抵抗体のターン領域の電流経路の幅を確保でき、電流経路の幅が短くなることにより抵抗値等の電気的特性が許容範囲以上に変化する等抵抗値等の電気的特性が変化してしまうことがない。また、上面電極の他方の上面電極側に向いた突出状の角部にＲ面又はＣ面が形成されているとともに、抵抗体における突出状の角部にＲ面又はＣ面が形成されているので、各角部同士で放電が発生するおそれを小さくでき、耐サージ特性を向上させることができる。また、抵抗体において帯状部が電極間方向とは略直角の方向に伸びて形成されているので、抵抗体のターン数を少なくすることができ、ターン数が少なくなった分ターン領域の内側の領域が破壊されるおそれを少なくしている。よって、全体として、耐サージ特性が向上したチップ抵抗器とすることができる。
【００２１】
また、第５には、上記第４の構成において、抵抗体において、帯状部におけるターン領域の該切欠部から見て外側の輪郭が、接続部の該切欠部から見て外側の輪郭と、帯状部の該切欠部から見て外側の輪郭とに接する楕円で、楕円の長軸と短軸の交点が該切欠部内又は該切欠部の輪郭上に存在する楕円の軌跡よりも該切欠部から見て外側にあることを特徴とする。
【００２２】
よって、ターン領域の幅を広く確保でき、コーナー部に電流が集中することによりコーナー部が破壊された場合でも、抵抗体のターン領域の電流経路の幅を確保でき、電流経路の幅が短くなることにより抵抗値等の電気的特性が許容範囲以上に変化する等抵抗値等の電気的特性が変化してしまうことがない。
【００２３】
また、第６には、上記第１から第５までのいずれかの構成において、抵抗体において、ターン領域の内側の切欠部における奥側のコーナー部が略円弧状又は略楕円弧状に形成されていることを特徴とする。よって、コーナー部が破壊されにくくなっているので、耐サージ特性を向上させることができる。つまり、コーナー部が直角に形成されている場合に比べて、コーナー部に電流密度が異常に高くなる領域を形成するおそれが小さく、耐サージ特性を向上させることができる。
【００２４】
また、第７には、上記第１から第６までのいずれかの構成において、抵抗体に形成された切欠部が、奥側から開口側にいくに従い幅広に形成されていることを特徴とする。よって、抵抗体に形成された切欠部の両側の間の放電のおそれを小さくすることができる。特に、切欠部の奥側よりも開口側（手前側）の方がその両側の電位差が高いので、切欠部の幅が奥側と手前側とで同じとすれば、開口側において放電が発生しやすくなるが、切欠部において開口側にいくほど幅広になるように形成しているので、放電が発生する可能性を小さくすることができる。
【００２５】
また、第８には、上記第１から第７までのいずれかの構成において、上面電極が、絶縁基板における中心線で、一対の上面電極を結ぶ方向の中心線を跨ぐように形成された上面電極本体部と、上面電極本体部の内側に突出して形成された突出部で、該中心線を跨がないように形成された突出部と、を有することを特徴とする。
【００２６】
また、第９には、上記第８の構成において、上面電極本体部の電極間方向の幅が、電極間方向と直角な方向で突出部形成側から反対側に向けて小さくなるように形成され、これにより、上面電極と上面電極に接続した抵抗体の端部領域とで形成された切欠部が、奥側から開口側にいくに従い幅広に形成されていることを特徴とする。よって、上面電極と抵抗体との間の放電のおそれを小さくすることができる。
【００２７】
また、第１０には、上記第１から第７までのいずれかの構成において、上面電極が、絶縁基板における中心線で、一対の上面電極を結ぶ方向の中心線を跨がないように形成されていることを特徴とする。
【発明の効果】
【００２８】
本発明に基づくチップ抵抗器によれば、ターン領域の電流経路の幅で一対の上面電極を結ぶ方向である電極間方向の電流経路の幅が、該電極間方向に直角な方向の電流経路の幅よりも大きく形成され、また、接続部の電極間方向とは直角方向の幅と、抵抗体本体部におけるトリミングカーフ形成位置の電流経路の幅とが、帯状部の電極間方向の幅よりも大きく形成されているので、電流経路における内側の領域に電流が集中することにより、ターン領域の内側の部分が破壊された場合でも、抵抗体のターン領域の電流経路の幅を確保でき、電流経路の幅が短くなることにより抵抗値等の電気的特性が許容範囲以上に変化する等抵抗値等の電気的特性が変化してしまうことがない。また、上面電極の他方の上面電極側に向いた突出状の角部にＲ面又はＣ面が形成されているとともに、抵抗体における突出状の角部にＲ面又はＣ面が形成されているので、各角部同士で放電が発生するおそれを小さくでき、耐サージ特性を向上させることができる。また、抵抗体において上面電極と接続する端部領域の電流経路が、電極間方向と略直角となっているので、抵抗体のターン数を少なくすることができ、ターン数が少なくなった分ターン領域の内側の領域が破壊されるおそれを少なくしている。よって、全体として、耐サージ特性が向上したチップ抵抗器とすることができる。
【発明を実施するための最良の形態】
【００２９】
本発明においては、蛇行状の抵抗体を有するチップ抵抗器において、コーナー部が破壊されても抵抗体の電気的特性を劣化させることなく、かつ、放電を抑えることにより、耐サージ特性を向上させることができるチップ抵抗器を提供するという目的を以下のようにして実現した。
【実施例１】
【００３０】
すなわち、本発明に基づく実施例におけるチップ抵抗器５は、図１〜図５に示されるように構成され、絶縁基板（基板）１０と、上面電極２０、２２と、抵抗体３０と、保護膜４０と、下面電極５０と、側面電極６０と、メッキ７０と、を有している。
【００３１】
なお、図１、図４、図５は、チップ抵抗器５の平面図であるが、厳密には、保護膜４０と側面電極６０とメッキ７０とを除いた状態の図であるといえる。また、図２は、チップ抵抗器５の底面図であるが、厳密には、メッキ７０と側面電極６０を除いた状態の図であるといえる。
【００３２】
また、各図において、Ｙ１−Ｙ２方向は、Ｘ１−Ｘ２方向（電極間方向）に直角な方向であり、Ｚ１−Ｚ２方向は、Ｘ１−Ｘ２方向及びＹ１−Ｙ２方向に直角な方向である。
【００３３】
ここで、上記絶縁基板１０は、含有率９６％程度のアルミナにて形成された絶縁体である。この絶縁基板１０は、直方体形状を呈しており、平面視すると、略長方形形状を呈している。この絶縁基板１０は、上記チップ抵抗器５の基礎部材、すなわち、基体として用いられている。
【００３４】
また、上面電極２０は、平面視において鉤状を呈し、絶縁基板１０の上面の一方の短辺に沿って形成され、上面電極本体部２０ａと、突出部２０ｂとを有している。つまり、上面電極本体部２０ａは、短辺に沿った略長方形状を呈している。また、突出部２０ｂは、上面電極本体部２０ａの内側の辺のＹ２側の端部分から内側（つまりＸ２側）に突出して形成され、上面電極本体部２０ａのＹ２側の辺部と突出部２０ｂのＹ２側の辺部とは面一に形成されている。また、上面電極本体部２０ａは、絶縁基板１０の平面視におけるＸ１−Ｘ２方向の中心線を跨ぐように形成されているが、突出部２０ｂは、該中心線を跨ぐことなく該中心線よりもＹ２側に形成されている。
【００３５】
また、上面電極２０の角部には、Ｒ面が形成されている。つまり、上面電極本体部２０ａの角部Ｋ２０（つまり、上面電極本体部２０ａにおいて抵抗体３０と対向する角部Ｋ２０）には、Ｒ面が形成されているとともに、突出部２０ｂの先端の両側の角部Ｋ２１、Ｋ２２には、Ｒ面が形成されている。この角部Ｋ２０、Ｋ２１、Ｋ２２は、他方の上面電極側に向いた突出状の角部である。
【００３６】
また、上面電極２２は、絶縁基板１０の上面の他方の短辺に沿って形成され、上面電極２０と線対称に形成されている。つまり、上面電極２２は、平面視において鉤状を呈し、上面電極本体部２２ａと、突出部２２ｂとを有し、上面電極２２の角部には、Ｒ面が形成されている。つまり、上面電極本体部２２ａの角部Ｋ２０（つまり、上面電極本体部２２ａにおいて抵抗体３０と対向する角部Ｋ２０）には、Ｒ面が形成されているとともに、突出部２２ｂの先端の両側の角部Ｋ２１、Ｋ２２には、Ｒ面が形成されている。この角部Ｋ２０、Ｋ２１、Ｋ２２は、他方の上面電極側に向いた突出状の角部である。
【００３７】
また、抵抗体３０は、絶縁基板１０の上面に設けられているとともに、上面電極２０、２２との接続部分では上面電極２０、２２の上面に設けられていて、切欠部Ｌ１、Ｌ２やトリミングカーフＴを形成することにより蛇行状に形成されていて、奇数回（具体的には３回）ターンする構成となっている。つまり、図５に示すように、抵抗体３０におけるハッチングで示した領域ＴＲがターン領域といえる。すなわち、ターン領域ＴＲは、電流経路における少なくともいずれかの部分がターンし始める位置から始まり、電流経路における全ての部分がターンし終わった位置で終了する（他の実施例においても同じ）。つまり、ターン領域とそれ以外の領域の境界位置は、コーナー部Ｃ３０、Ｃ３１のＹ２側の端部や、コーナー部Ｃ３２、Ｃ３３のＹ２側の端部や、トリミングカーフＴの最深部の曲線部分（略円弧状部）のＹ１側の端部といえる。
【００３８】
また、この抵抗体３０は、略Ｗ字状に形成されていて、抵抗体本体部３２と、帯状部３４ａと、接続部３４ｂと、帯状部３６ａと、接続部３６ｂとを有している。
【００３９】
すなわち、抵抗体本体部３２は、上面電極２０と上面電極２２の間の位置に設けられ、略方形状を呈し、角部Ｋ３３、Ｋ３４にはＲ面が形成されている。つまり、抵抗体本体部３２は、接続部３４ｂと接続部３６ｂとが接続されていない側（つまり、Ｙ２側）に角部Ｋ３３、Ｋ３４を有しているが、この２つの角部（突出状の角部）はＲ状に形成されている。
【００４０】
また、帯状部３４ａは、上面電極２０と接続され、Ｙ１−Ｙ２方向に帯状に形成されて、略方形状を呈している。つまり、帯状部３４ａの両側の辺部は略平行をなし、ともに電極間方向とは直角の方向を向いている。この帯状部３４ａの角部Ｋ３０、Ｋ３１、Ｋ３２（突出状の角部）には、Ｒ面が形成されている。
【００４１】
また、接続部３４ｂは、抵抗体本体部３２と帯状部３４ａの間を接続するようにＸ１−Ｘ２方向に形成されている。この接続部３４ｂのＹ１側の辺部は、帯状部３４ａのＹ１側の辺部及び抵抗体本体部３２のＹ１側の辺部と面一に形成されていて、接続部３４ｂのＹ２側においては、帯状部３４ａと接続部３４ｂと抵抗体本体部３２とで囲まれた切欠部Ｌ１が形成されている。なお、この切欠部におけるコーナー部Ｃ３０とコーナー部Ｃ３１とは、曲線状に形成されていて、具体的には、略円弧状（又は略楕円弧）に形成されている。つまり、この２つのコーナー部は直角ではなく、略円弧状（又は略楕円弧）に形成されている。また、コーナー部Ｃ３０とコーナー部Ｃ３１の間の辺部は直線状に形成されている。
【００４２】
なお、帯状部３４ａの幅Ｓ１と接続部３４ｂの幅Ｓ２とを比較すると、Ｓ２＞Ｓ１となっていて、具体的には、Ｓ２＝１．１５〜１．２５（好適には１．２）×Ｓ１の関係となっている。この帯状部３４ａの幅Ｓ１が、上記「電極間方向に直角な方向の電流経路の幅」、「上面電極と接続する端部領域の電流経路の幅」、「帯状部の電極間方向の幅」に当たり、接続部３４ｂの幅Ｓ２が、上記「ターン領域の電流経路の幅で電極間方向の電流経路の幅」、「接続部の電極間方向とは直角方向の幅」に当たり、Ｓ２＞Ｓ１であることにより、ターン領域の電流経路の少なくとも一部の幅が、該電極間方向に略直角な方向の電流経路の幅よりも大きく形成されているといえる。
【００４３】
なお、帯状部３４ａの角部Ｋ３２のＲ面を形成する輪郭線Ｊは、コーナー部Ｃ３０の円弧（又は楕円弧）の中心Ｇを原点とした場合に、帯状部３４ａのＸ１側の辺部に接するとともに、接続部３４ｂのＹ１側の辺部に接する楕円Ｄよりも外側に位置している。つまり、中心Ｇと帯状部３４ａのＸ１側の辺部の間の距離をＰとし、中心Ｇと接続部３４ｂのＹ１側の辺部の間の距離をＱとした場合に、該楕円Ｄは、ｘ2／Ｐ2＋ｙ2／Ｑ2＝１となるが、輪郭線Ｊは、この楕円Ｄよりも外側となっている。つまり、切欠部Ｌ１により形成されたターン領域の該切欠部Ｌ１から見て外側の輪郭Ｊが、ターン領域における電極間方向の電流経路の該切欠部から見て外側の輪郭Ｍ１と、該ターン領域に連設した電流経路の該切欠部から見て外側の輪郭Ｍ２とに接する楕円で、楕円の長軸と短軸の交点Ｇが該切欠部内に存在する楕円Ｄの軌跡よりも該切欠部Ｌ１から見て外側にあるといえる。なお、楕円の長軸と短軸の交点Ｇは、切欠部Ｌ１内にあるか、切欠部Ｌ１の輪郭上にあればよい。
【００４４】
また、切欠部Ｌ１の最深部の位置は、Ｙ１−Ｙ２方向において、上面電極２０の突出部２０ｂよりもＹ１側に形成され、切欠部Ｌ１の最深部と突出部２０ｂ間のＹ１−Ｙ２方向の距離Ｒは正となっている。
【００４５】
また、帯状部３６ａは、帯状部３４ａと線対称に形成されていて、接続部３６ｂは、接続部３４ａと線対称に形成されている。つまり、帯状部３６ａは、上面電極２２と接続され、Ｙ１−Ｙ２方向に帯状に形成されて、略方形状を呈し、帯状部３６ａの角部Ｋ３５、Ｋ３６、Ｋ３７（突出状の角部）には、Ｒ面が形成されている。
【００４６】
また、接続部３６ｂは、接続部３４ｂと線対称に形成され、抵抗体本体部３２と帯状部３６ａの間を接続するようにＸ１−Ｘ２方向に形成されていて、接続部３６ｂのＹ１側の辺部は、帯状部３６ａのＹ１側の辺部及び抵抗体本体部３２のＹ１側の辺部と面一に形成されていて、接続部３６ｂのＹ２側においては、帯状部３６ａと接続部３６ｂと抵抗体本体部３２とで囲まれた切欠部Ｌ２が形成されている。この切欠部における２つのコーナー部Ｃ３２、Ｃ３３は、曲線状に形成されていて、具体的には、略円弧状に形成されている。また、コーナー部Ｃ３２とコーナー部Ｃ３３の間の辺部は直線状に形成されている。
【００４７】
また、帯状部３６ａの幅をＳ３（図示せず）とし、接続部３６ｂの幅Ｓ４（図示せず）とした場合に、幅Ｓ３と幅Ｓ４とを比較すると、Ｓ４＞Ｓ３となっていて、具体的には、Ｓ４＝１．１５〜１．２５（好適には１．２）×Ｓ３の関係となっている。この帯状部３６ａの幅Ｓ３が、「電極間方向に直角な方向の電流経路の幅」、「上面電極と接続する端部領域の電流経路の幅」、「帯状部の電極間方向の幅」に当たり、接続部３６ｂの幅Ｓ４が、「ターン領域の電流経路の幅で電極間方向の電流経路の幅」、「接続部の電極間方向とは直角方向の幅」に当たり、Ｓ４＞Ｓ３であることにより、ターン領域の電流経路の少なくとも一部の幅が、該電極間方向に略直角な方向の電流経路の幅よりも大きく形成されているといえる。
【００４８】
また、帯状部３６ａの角部Ｋ３５のＲ面を形成する輪郭線Ｊは、コーナー部Ｃ３３の円弧の中心を原点とした場合に、帯状部３６ａのＸ２側の辺部に接するとともに、接続部３６ｂのＹ１側の辺部に接する楕円よりも外側に位置している。
【００４９】
また、抵抗体本体部３２には、Ｘ１−Ｘ２方向の中心位置にＹ１側からトリミングカーフＴを形成することにより、電流経路が１８０度ターンするように形成され、抵抗体３０全体として蛇行状に形成される。なお、トリミングカーフＴ形成位置における抵抗体の幅Ｓ５（つまり、トリミングカーフＴの最深部と抵抗体本体部３２の反対側（Ｙ２側）の端部との間の距離）と、帯状部３４ａの幅Ｓ１とを比較すると、Ｓ５＞Ｓ１となっていて、具体的には、Ｓ５＝１．１５〜１．２５（好適には１．２）×Ｓ１の関係となっている。このトリミングカーフＴ形成位置における抵抗体の幅Ｓ５が、「ターン領域の電流経路の幅で電極間方向の電流経路の幅」、「抵抗体本体部におけるトリミングカーフ形成位置の電流経路の幅」に当たり、Ｓ５＞Ｓ１であることにより、ターン領域の電流経路の少なくとも一部の幅が、該電極間方向に略直角な方向の電流経路の幅よりも大きく形成されているといえる。
【００５０】
なお、チップ抵抗器５を設計するに当たり、トリミングに際して所望の抵抗値となった際に、Ｓ５＞Ｓ１となり、特に、Ｓ５＝１．１５〜１．２５（好適には１．２）×Ｓ１の関係となるように設計をしておくことになる。
【００５１】
また、上記構成の抵抗体３０においては、ターン領域の電流経路の全ての位置の幅が、帯状部３４ａ、３６ａの幅（該電極間方向に略直角な方向の電流経路の幅）よりも大きく形成されているといえる。
【００５２】
以上のように、抵抗体３０においては、トリミングカーフＴの形成位置を除く角部には、Ｒ面が形成され、また、切欠部の内側のコーナー部は円弧状に形成されている。
【００５３】
また、保護膜４０は、上面電極２０、２２及び抵抗体３０の上面に設けられていて、平面視において略方形状に形成されている。すなわち、保護膜４０のＸ１−Ｘ２方向の長さは、抵抗体３０を保護する程度に形成され、そのＸ１−Ｘ２方向の端部は、絶縁基板１０の端部とは隙間が形成されるように形成されている。また、保護膜４０のＹ１−Ｙ２方向の長さは、抵抗体３０を保護する程度に形成され、そのＹ１−Ｙ２方向の端部は、絶縁基板１０の端部と一致するか又は隙間が形成されるように形成されている。
【００５４】
また、下面電極５０は、図２、図３に示すように、絶縁基板１０の底面に形成されていて、帯状を呈している。つまり、下面電極５０は、両側の短辺に沿って帯状に形成されていて、Ｙ１側の端部からＹ２側の端部にまで形成されている。
【００５５】
また、側面電極６０は、上面電極２０、２２の一部と、下面電極５０の一部と、保護膜４０の一部と、絶縁基板１０の側面や上面の一部を被覆するように断面略コ字状に層状に形成されている。
【００５６】
また、メッキ７０は、ニッケルメッキ７２と、錫メッキ７４とから構成されていて、Ｘ１−Ｘ２方向の両側の端部にそれぞれ設けられている。つまり、ニッケルメッキ７２は、保護膜４０の一部と、上面電極２０、２２の一部と、側面電極６０と、下面電極５０の一部とを被覆するように形成されている。つまり、上面電極２０、２２と側面電極６０と下面電極５０の露出部分を被覆するように形成されている。このニッケルメッキ７２は、電気メッキにより略均一の膜厚で配設されている。このニッケルメッキ７２は、ニッケルにて形成されており、上面電極２０等の内部電極のはんだ食われを防止するために形成されている。このニッケルメッキ７２は、ニッケル以外にも銅メッキが用いられる場合もある。
【００５７】
また、錫メッキ７４は、ニッケルメッキ７２の上面を被覆するように略均一の膜厚で配設されている。この錫メッキ７４は、上記チップ抵抗器５の配線基板へのはんだ付けを良好に行うために形成されている。なお、この錫メッキ７４は、錫メッキ以外に、はんだが用いられる場合もある。
【００５８】
上記構成のチップ抵抗器５の製造方法としてとしては、通常のチップ抵抗器の製造方法とほぼ同様であるが、特に、上面電極２０、２２と抵抗体３０とを上記の形状に形成する点が異なる。
【００５９】
つまり、複数の絶縁基板１０の大きさを有する大判の基板上に所定の範囲に上面電極を形成する。つまり、上面電極ペーストを基板の上に印刷して乾燥した後に焼成して上記上面電極２０、２２を形成する。なお、隣接するチップ抵抗器における上面電極とともに１つの印刷領域で形成するのが好ましい。次に、抵抗体をその一部を上面電極に重ねるようにして形成する。つまり、抵抗体ペーストをその一部を上面電極の上に重ねるように印刷して乾燥した後に焼成して抵抗体３０を形成する。
【００６０】
続いて、抵抗体３０についてトリミングを行って抵抗値調整を行った後に、保護膜４０を形成し、基板を一次分割する。その後、側面電極を形成する。つまり、側面電極用ペーストを印刷して乾燥した後に焼成（焼成ではなく硬化としてもよい）することにより側面電極を形成する。その後、二次分割を行い、個々のチップ片とした後に、メッキ７０を形成する。
【００６１】
上記構成のチップ抵抗器５においては、電流経路における内側の領域に電流が集中することにより、ターン領域の内側の部分が破壊された場合でも、ターン領域の電流経路の幅で一対の上面電極を結ぶ方向である電極間方向の電流経路の幅が、該電極間方向に直角な方向の電流経路の幅よりも大きく形成されているので、抵抗体のターン領域の電流経路の幅を確保でき、電流経路の幅が短くなることにより抵抗値等の電気的特性が許容範囲以上に変化する等抵抗値等の電気的特性が変化してしまうことがない。
【００６２】
例えば、接続部３４ｂの内側（Ｙ２側）や接続部３６ｂの内側（Ｙ２側）に電流が集中して接続部３４ｂの内側の領域や接続部３６ｂの内側の領域が破壊された場合でも、接続部３４ｂの幅が帯状部３４ａの幅よりも大きく形成されているとともに、接続部３６ｂの幅が帯状部３６ａの幅よりも大きく形成されているので、抵抗体のターン領域の電流経路の幅を確保でき、電流経路の幅が短くなることにより抵抗値等の電気的特性が変化してしまうことがない。
【００６３】
また、同様に、電流経路における内側の領域に電流が集中することにより、トリミングカーフＴの最深部の領域（つまり、コーナー部Ｃ３４の領域）に電流が集中して該領域が破壊された場合でも、トリミングカーフＴ形成位置における抵抗体の幅が、帯状部３４ａの幅よりも大きく形成されているので、トリミングカーフ形成位置のターン領域の電流経路の幅を確保でき、電流経路の幅が短くなることにより抵抗値等の電気的特性が変化してしまうことがない。
【００６４】
また、帯状部３４ａの角部Ｋ３２のＲ面を形成する輪郭線や、帯状部３６ａの角部Ｋ３５のＲ面を形成する輪郭線は、上記楕円よりも外側に位置しているので、これにより、ターン領域の幅を広く確保でき、コーナー部に電流が集中することによりコーナー部が破壊された場合でも、抵抗体のターン領域の電流経路の幅を確保でき、電流経路の幅が短くなることにより抵抗値等の電気的特性が変化してしまうことがない。例えば、コーナー部Ｃ３０を例にとった場合に、帯状部３４ａの幅Ｓ１よりも接続部３４ｂの幅Ｓ２の方が大きいことから、それらの幅に合わせて幅Ｓ１から幅Ｓ２になるように徐々に幅を大きくして角部Ｋ３２の輪郭を決定すると、上記のような楕円の輪郭となるが、本実施例においては、角部Ｋ３２の輪郭を該楕円よりも外側になるように構成しているので、コーナー部Ｃ３０における電流経路の幅を十分広く確保している。特に、コーナー部Ｃ３０やコーナー部Ｃ３１の箇所は、電流が集中しやすいので破壊されやすいが、上記のように、角部Ｋ３２の輪郭を該楕円よりも外側になるように構成することによりコーナー部Ｃ３０の箇所が破壊されても、電流経路の幅を確保でき、電流経路の幅が短くなることにより抵抗値等の電気的特性が変化してしまうことがない。
【００６５】
また、コーナー部Ｃ３０、Ｃ３１、Ｃ３２、Ｃ３３は、曲線状（特に、略円弧状又は略楕円弧状）に形成されていて、直角には形成されていないことから、コーナー部が破壊されにくくなっている。
【００６６】
以上のように、接続部３４ｂ、３６ｂの幅や、トリミングカーフ形成位置における抵抗体の幅を十分広く確保し、また、角部Ｋ３２、３５の輪郭を楕円よりも外側にして、ターン領域における幅を十分広く確保することにより、抵抗体３０のターン領域の内側の領域に電流が集中することによりその一部が破壊されても抵抗値等の電気的特性が変化してしまうことがなく、耐サージ特性を向上させることができる。
【００６７】
また、コーナー部Ｃ３０、Ｃ３１、Ｃ３２、Ｃ３３は、曲線状（特に、略円弧状）に形成されているので、コーナー部が破壊されにくくなっているので、この点でも、耐サージ特性を向上させることができる。つまり、コーナー部が直角に形成されている場合に比べて、コーナー部に電流密度が異常に高くなる領域を形成するおそれが小さく、耐サージ特性を向上させることができる。
【００６８】
また、抵抗体３０においては、トリミングカーフＴの形成位置を除く角部には、Ｒ面が形成され、また、上面電極２０、２２の角部にはＲ面が形成されているので、各角部同士で放電が発生するおそれを小さくでき、耐サージ特性を向上させることができる。例えば、上面電極２０の角部Ｋ２０と抵抗体３０の角部Ｋ３２や、上面電極２２の角部Ｋ２０と抵抗体３０の角部Ｋ３５とが、ともに直角の角部の場合には、２つの角部が互いに対向しているため、両角部間で放電が発生するおそれがあり、また、上面電極２０の角部Ｋ２１と抵抗体３０の角部Ｋ３３、抵抗体３０の角部Ｋ３１と抵抗体３０の角部Ｋ３３、上面電極２２の角部Ｋ２１と抵抗体３０の角部Ｋ３４、抵抗体３０の角部Ｋ３６と抵抗体３０の角部Ｋ３４についても、２つの角部が対向しているため、両角部間で放電が発生するおそれがあるが、本実施例においては、各角部にＲ面が形成されていることから、放電のおそれがない。
【００６９】
また、本実施例のチップ抵抗器５の抵抗体３０においては、抵抗体３０の端部をなす帯状部３４ａ、３６ａが、ともに、電極間方向（Ｘ１−Ｘ２方向）に直角の方向（Ｙ１−Ｙ２方向）になっているので、抵抗体のターン数を少なくすることができ、ターン領域の内側の領域が破壊されるおそれをなくしているので、これによっても、耐サージ特性を向上させることができる。
【実施例２】
【００７０】
次に、実施例２のチップ抵抗器について説明する。実施例２のチップ抵抗器１０５は、実施例１のチップ抵抗器５と略同様の構成であるが、図６に示すように、抵抗体の構成が異なる。なお、図６は、チップ抵抗器１０５の平面図であるが、厳密には、保護膜と側面電極とメッキとを除いた状態の図であるといえる。
【００７１】
すなわち、図６に示すように、チップ抵抗器１０５における抵抗体１３０は、略Ｗ字状に形成されていて、抵抗体本体部１３２と、帯状部１３４ａと、接続部１３４ｂと、帯状部１３６ａと、接続部１３６ｂとを有している。
【００７２】
ここで、抵抗体本体部１３２は、実施例１の抵抗体本体部３２とは異なり、平面視において、その上部が斜めに欠切されていてテーパ状に形成されている。つまり、抵抗体本体部１３２においては、コーナー部Ｃ３１から接続して形成された傾斜辺部１３２−１が設けられ、また、コーナー部Ｃ３２から接続して形成された傾斜辺部１３２−２が設けられている。この傾斜辺部１３２−１と傾斜辺部１３２−２とは、直線状に形成され、傾斜辺部１３２−１は、Ｙ２側にいくほどＸ２側になるように傾斜して形成され、帯状部１３４ａと接続部１３４ｂと抵抗体本体部１３２とで囲まれた切欠部Ｌ１が、開口側にいくに従い幅広になるように形成され、また、傾斜辺部１３２−２は、Ｙ２側にいくほどＸ１側になるように傾斜して形成され、帯状部１３６ａと接続部１３６ｂと抵抗体本体部１３２とで囲まれた切欠部Ｌ２が、開口側にいくに従い幅広になるように形成されている。
【００７３】
これにより、抵抗体１３０に形成された切欠部Ｌ１、Ｌ２の両側の間の放電のおそれを小さくすることができる。すなわち、切欠部Ｌ１、Ｌ２においては、切欠部の奥側よりも手前側（開口側）の方がその両側の電位差が高いので、切欠部の幅が奥側と手前側とで同じとすれば、手前側において放電が発生しやすくなるが、本実施例の場合には、切欠部Ｌ１、Ｌ２において、開口側にいくほど幅広になるように形成しているので、放電が発生する可能性を小さくすることができる。
【００７４】
なお、抵抗体１３０における抵抗体本体部１３２以外の構成は、実施例１における抵抗体３０の構成と同様であるので詳しい説明を省略する。つまり、帯状部１３４ａは、帯状部３４ａと同様の構成であり、接続部１３４ｂは、接続部３４ｂと同様の構成であり、帯状部１３６ａは、帯状部３６ａと同様の構成であり、接続部１３６ｂは、接続部３６ｂと同様の構成である。また、チップ抵抗器１０５における抵抗体１３０以外の構成は、実施例１のチップ抵抗器５と同様であるので詳しい説明を省略する。
【００７５】
特に、接続部１３４ｂの幅が帯状部１３４ａの幅よりも大きく形成されているとともに、接続部１３６ｂの幅が帯状部１３６ａの幅よりも大きく形成され、また、トリミングカーフＴ形成位置における抵抗体の幅が、帯状部１３４ａの幅よりも大きく形成されている。また、帯状部１３４ａの角部Ｋ３２のＲ面を形成する輪郭線や、帯状部１３６ａの角部Ｋ３５のＲ面を形成する輪郭線は、上記楕円よりも外側に位置している。これにより、実施例１の場合と同様に、ターン領域における幅を十分広く確保して、抵抗体１３０のターン領域の内側の領域に電流が集中することによりその一部が破壊されても抵抗値等の電気的特性が変化してしまうことがなく、耐サージ特性を向上させることができる。
【００７６】
また、コーナー部Ｃ３０、Ｃ３１、Ｃ３２、Ｃ３３は、曲線状（特に、略円弧状）に形成されているので、コーナー部が破壊されにくく構成され、この点でも耐サージ特性が向上されている。
【００７７】
また、抵抗体１３０においては、トリミングカーフＴの形成位置を除く角部（つまり、角部Ｋ３０、Ｋ３１、Ｋ３２、Ｋ３３、Ｋ３４、Ｋ３５、Ｋ３６、Ｋ３７）には、Ｒ面が形成され、また、上面電極２０、２２の角部にはＲ面が形成されているので、各角部同士で放電が発生するおそれを小さくでき、耐サージ特性を向上させることができる。
【００７８】
なお、上記実施例１及び実施例２においては、トリミングカーフを１本としたが、これには限られず、同一方向に隣接して複数本（例えば、２本）のトリミングカーフを形成するようにしてもよい。
【実施例３】
【００７９】
次に、実施例３のチップ抵抗器について説明する。実施例３のチップ抵抗器２０５は、実施例１のチップ抵抗器５と略同様の構成であるが、図７、図８に示すように、一対の上面電極が点対称に形成され、また、抵抗体が点対称に形成されている点が異なる。なお、図７、図８は、チップ抵抗器２０５の平面図であるが、厳密には、保護膜と側面電極とメッキとを除いた状態の図であるといえる。
【００８０】
すなわち、上面電極２２０は、実施例１の上面電極２０と同様の構成である。すなわち、上面電極２２０は、絶縁基板１０の上面の一方の短辺に沿って形成され、平面視において鉤状を呈し、上面電極本体部２２０ａと、突出部２２０ｂとを有し、上面電極２２０の角部には、Ｒ面が形成されている。つまり、上面電極本体部２２０ａの角部Ｋ２０には、Ｒ面が形成されているとともに、突出部２２０ｂの先端の両側の角部Ｋ２１、Ｋ２２には、Ｒ面が形成されている。また、上面電極本体部２２０ａは、絶縁基板１０の平面視におけるＸ１−Ｘ２方向の中心線を跨ぐように形成されているが、突出部２２０ｂは、該中心線を跨ぐことなく該中心線よりもＹ２側に形成されている。
【００８１】
また、上面電極２２２は、絶縁基板１０の上面の他方の短辺に沿って形成され、上面電極２２０と点対称に形成されている。つまり、上面電極２２０においては、突出部２２０ｂが上面電極本体部２２０ａのＹ２側から突出しているのに対して、上面電極２２２においては、突出部２２２ｂが上面電極本体部２２２ａのＹ１側から突出して形成されている。また、上面電極本体部２２２ａは、絶縁基板１０の平面視におけるＸ１−Ｘ２方向の中心線を跨ぐように形成されているが、突出部２２２ｂは、該中心線を跨ぐことなく該中心線よりもＹ１側に形成されている。
【００８２】
また、抵抗体２３０は、絶縁基板１０の上面に設けられているとともに、上面電極２２０、２２２との接続部分では上面電極２２０、２２２の上面に設けられていて、蛇行状に形成されていて、偶数回（具体的には４回）ターンする構成となっている。
【００８３】
つまり、この抵抗体２３０は、抵抗体本体部２３２と、帯状部２３４ａと、接続部２３４ｂと、帯状部２３６ａと、接続部２３６ｂとを有している。
【００８４】
すなわち、抵抗体本体部２３２は、上面電極２２０と上面電極２２２の間の位置に設けられ、略方形状を呈し、対角位置に設けられた角部Ｋ３３、Ｋ３４にはＲ面が形成されている。つまり、抵抗体本体部２３２は、接続部２３４ｂと接続部２３６ｂとが接続されていない側に角部Ｋ３３、Ｋ３４を有しているが、この２つの角部はＲ状に形成されている。
【００８５】
また、帯状部２３４ａは、上面電極２２０と接続され、Ｙ１−Ｙ２方向に帯状に形成されて、略方形状を呈している。この帯状部２３４ａの角部Ｋ３０、Ｋ３１、Ｋ３２には、Ｒ面が形成されている。
【００８６】
また、接続部２３４ｂは、抵抗体本体部２３２と帯状部２３４ａの間を接続するようにＸ１−Ｘ２方向に形成されている。この接続部２３４ｂのＹ１側の辺部は、帯状部２３４ａのＹ１側の辺部及び抵抗体本体部２３２のＹ１側の辺部と面一に形成されていて、接続部２３４ｂのＹ２側においては、帯状部２３４ａと接続部２３４ｂと抵抗体本体部２３２とで囲まれた切欠部Ｌ１が形成されている。なお、この切欠部Ｌ１におけるコーナー部Ｃ３０とコーナー部Ｃ３１とは、曲線状に形成されていて、具体的には、略円弧状に形成されている。つまり、この２つのコーナー部は直角ではなく、略円弧状に形成されている。また、コーナー部Ｃ３０とコーナー部Ｃ３１の間の辺部は直線状に形成されている。
【００８７】
なお、帯状部２３４ａの幅Ｓ１と接続部２３４ｂの幅Ｓ２とを比較すると、Ｓ２＞Ｓ１となっていて、具体的には、Ｓ２＝１．１５〜１．２５（好適には１．２）×Ｓ１の関係となっている。この帯状部２３４ａの幅Ｓ１が、上記「電極間方向に直角な方向の電流経路の幅」、「上面電極と接続する端部領域の電流経路の幅」、「帯状部の電極間方向の幅」に当たり、接続部２３４ｂの幅Ｓ２が、「ターン領域の電流経路の幅で電極間方向の電流経路の幅」、「接続部の電極間方向とは直角方向の幅」に当たり、Ｓ２＞Ｓ１であることにより、ターン領域の電流経路の少なくとも一部の幅が、該電極間方向に略直角な方向の電流経路の幅よりも大きく形成されているといえる。
【００８８】
なお、帯状部２３４ａの角部Ｋ３２のＲ面を形成する輪郭線Ｊは、図８に示すように、上記各実施例の場合と同様に、コーナー部Ｃ３０の円弧の中心Ｇを原点とした場合に、帯状部２３４ａのＸ１側の辺部に接するとともに、接続部２３４ｂのＹ１側の辺部に接する楕円Ｄよりも外側に位置している。つまり、中心Ｇと帯状部２３４ａのＸ１側の辺部の間の距離をＰとし、中心Ｇと接続部２３４ｂのＹ１側の辺部の間の距離をＱとした場合に、該楕円Ｄは、ｘ2／Ｐ2＋ｙ2／Ｑ2＝１となるが、輪郭線Ｊは、この楕円Ｄよりも外側となっている。
【００８９】
また、切欠部Ｌ１の最深部の位置は、Ｙ１−Ｙ２方向において、上面電極２２０の突出部２２０ｂよりもＹ１側に形成され、切欠部Ｌ１の最深部と突出部２２０ｂ間のＹ１−Ｙ２方向の距離Ｒは正となっている。
【００９０】
また、帯状部２３６ａは、帯状部２３４ａと点対称に形成されていて、接続部２３６ｂは、接続部２３４ａと点対称に形成されている。つまり、帯状部２３６ａは、上面電極２２２と接続され、Ｙ１−Ｙ２方向に帯状に形成されて、略方形状を呈し、帯状部２３６ａの角部Ｋ３５、Ｋ３６、Ｋ３７には、Ｒ面が形成されている。
【００９１】
また、接続部２３６ｂは、接続部２３４ｂと点対称に形成され、抵抗体本体部２３２と帯状部２３６ａの間を接続するようにＸ１−Ｘ２方向に形成されていて、接続部２３６ｂのＹ２側の辺部は、帯状部２３６ａのＹ２側の辺部及び抵抗体本体部３２のＹ２側の辺部と面一に形成されていて、接続部２３６ｂのＹ２側においては、帯状部２３６ａと接続部２３６ｂと抵抗体本体部２３２とで囲まれた切欠部Ｌ２が形成されている。この切欠部Ｌ２における２つのコーナー部Ｃ３２、Ｃ３３は、曲線状に形成されていて、具体的には、略円弧状に形成されている。また、コーナー部Ｃ３２とコーナー部Ｃ３３の間の辺部は直線状に形成されている。
【００９２】
また、帯状部２３６ａの幅をＳ３（図示せず）とし、接続部２３６ｂ（図示せず）の幅Ｓ４とした場合に、幅Ｓ３と幅Ｓ４とを比較すると、Ｓ４＞Ｓ３となっていて、具体的には、Ｓ４＝１．１５〜１．２５（好適には１．２）×Ｓ３の関係となっている。この帯状部２３６ａの幅Ｓ３が、「電極間方向に直角な方向の電流経路の幅」、「上面電極と接続する端部領域の電流経路の幅」、「帯状部の電極間方向の幅」に当たり、接続部２３６ｂの幅Ｓ４が、「ターン領域の電流経路の幅で電極間方向の電流経路の幅」、「接続部の電極間方向とは直角方向の幅」に当たり、Ｓ４＞Ｓ３であることにより、ターン領域の電流経路の少なくとも一部の幅が、該電極間方向に略直角な方向の電流経路の幅よりも大きく形成されているといえる。
【００９３】
また、帯状部２３６ａの角部Ｋ３５のＲ面を形成する輪郭線Ｊは、コーナー部Ｃ３３の円弧の中心を原点とした場合に、帯状部２３６ａのＸ２側の辺部に接するとともに、接続部２３６ｂのＹ２側の辺部に接する楕円よりも外側に位置している。
【００９４】
また、抵抗体本体部２３２には、異なる方向から２つのトリミングカーフＴを形成することにより、電流経路が１８０度２回ターンするように形成され、抵抗体２３０全体として蛇行状に形成されている。つまり、抵抗体本体部２３２のＸ１側の端部から抵抗体本体部２３２のＸ１−Ｘ２方向の長さの１／３の長さの位置でＹ１側からトリミングカーフＴを形成するとともに、抵抗体本体部２３２のＸ１側の端部から抵抗体本体部２３２のＸ１−Ｘ２方向の長さの２／３の長さの位置でＹ２側からトリミングカーフＴを形成することにより、電流経路が２回１８０度ターンするように形成され、抵抗体２３０全体として蛇行状に形成される。
【００９５】
なお、トリミングカーフＴ形成位置における抵抗体の幅Ｓ５、Ｓ６（図８参照）と、帯状部２３４ａの幅Ｓ１とを比較すると、Ｓ５＞Ｓ１及びＳ６＞Ｓ１となっていて、具体的には、Ｓ５＝１．１５〜１．２５（好適には１．２）×Ｓ１及びＳ６＝１．１５〜１．２５（好適には１．２）×Ｓ１の関係となっている。このトリミングカーフＴ形成位置における抵抗体の幅Ｓ５が、「ターン領域の電流経路の幅で電極間方向の電流経路の幅」、「抵抗体本体部におけるトリミングカーフ形成位置の電流経路の幅」に当たり、Ｓ５＞Ｓ１であることにより、ターン領域の電流経路の少なくとも一部の幅が、該電極間方向に略直角な方向の電流経路の幅よりも大きく形成されているといえる。
【００９６】
なお、チップ抵抗器２０５を設計するに当たり、トリミングに際して所望の抵抗値となった際に、Ｓ５（Ｓ６）＞Ｓ１となり、特に、Ｓ５（Ｓ６）＝１．１５〜１．２５（好適には１．２）×Ｓ１の関係となるように設計をしておくことになる。
【００９７】
また、上記構成の抵抗体２３０においては、ターン領域の電流経路の全ての位置の幅が、帯状部２３４ａ、２３６ａの幅（該電極間方向に略直角な方向の電流経路の幅）よりも大きく形成されているといえる。
【００９８】
以上のように、抵抗体２３０においては、トリミングカーフＴの形成位置を除く角部には、Ｒ面が形成され、また、切欠部の内側のコーナー部は円弧状に形成されている。
【００９９】
なお、チップ抵抗器２０５における上面電極２２０、２２２と抵抗体２３０以外の構成は、上記実施例１のチップ抵抗器５と同様の構成であるので、詳しい説明を省略する。
【０１００】
また、チップ抵抗器２０５の製造方法も、上面電極２２０、２２２と抵抗体２３０とを上記の形状に形成する点以外は実施例１と同様であるので、詳しい説明を省略する。
【０１０１】
また、チップ抵抗器２０５の作用・効果も、実施例１のチップ抵抗器５の作用・効果と同様である。
【０１０２】
つまり、接続部２３４ｂの幅が帯状部２３４ａの幅よりも大きく形成されているとともに、接続部２３６ｂの幅が帯状部２３６ａの幅よりも大きく形成され、また、トリミングカーフＴ形成位置における抵抗体の幅が、帯状部２３４ａの幅よりも大きく形成されていて、また、帯状部２３４ａの角部Ｋ３２のＲ面を形成する輪郭線や、帯状部２３６ａの角部Ｋ３５のＲ面を形成する輪郭線は、上記楕円よりも外側に位置しているので、ターン領域における幅を十分広く確保して、抵抗体２３０のターン領域の内側の領域に電流が集中することによりその一部が破壊されても抵抗値等の電気的特性が変化してしまうことがなく、耐サージ特性を向上させることができる。
【０１０３】
また、コーナー部Ｃ３０、Ｃ３１、Ｃ３２、Ｃ３３は、曲線状（特に、略円弧状）に形成されているので、コーナー部が破壊されにくく構成され、この点でも耐サージ特性が向上されている。
【０１０４】
また、抵抗体２３０においては、トリミングカーフＴの形成位置を除く角部には、Ｒ面が形成され、また、上面電極２２０、２２２の角部にはＲ面が形成されているので、各角部同士で放電が発生するおそれを小さくでき、耐サージ特性を向上させることができる。
【実施例４】
【０１０５】
次に、実施例４のチップ抵抗器について説明する。実施例４のチップ抵抗器３０５は、実施例３のチップ抵抗器２０５と略同様の構成であるが、図９に示すように、実施例２と同様に切欠部が開口側にいくほど幅広になっている点が異なる。なお、図９は、チップ抵抗器３０５の平面図であるが、厳密には、保護膜と側面電極とメッキとを除いた状態の図であるといえる。
【０１０６】
つまり、チップ抵抗器３０５における抵抗体３３０は、抵抗体本体部３３２と、帯状部３３４ａと、接続部３３４ｂと、帯状部３３６ａと、接続部３３６ｂとを有している。
【０１０７】
ここで、抵抗体本体部３３２は、実施例１の抵抗体本体部３２とは異なり、平面視において、対角上の角部が斜めに欠切されていてテーパ状に形成されている。つまり、抵抗体本体部３３２においては、コーナー部Ｃ３１から接続して形成された傾斜辺部３３２−１が設けられ、また、コーナー部Ｃ３２から接続して形成された傾斜辺部３３２−２が設けられている。この傾斜辺部３３２−１と傾斜辺部３３２−２とは、直線状に形成され、傾斜辺部３３２−１は、Ｙ２側にいくほどＸ２側になるように傾斜して形成され、帯状部３３４ａと接続部３３４ｂと抵抗体本体部３３２とで囲まれた切欠部Ｌ１が、開口側にいくに従い幅広になるように形成され、また、傾斜辺部３３２−２は、Ｙ１側にいくほどＸ１側になるように傾斜して形成され、帯状部３３６ａと接続部３３６ｂと抵抗体本体部３３２とで囲まれた切欠部Ｌ２が、開口側にいくに従い幅広になるように形成されている。
【０１０８】
これにより、実施例２の場合と同様に、抵抗体３３０に形成された切欠部Ｌ１、Ｌ２の両側の間の放電のおそれを小さくすることができる。
【０１０９】
なお、抵抗体３３０における抵抗体本体部３３２以外の構成は、実施例３における抵抗体２３０の構成と同様であるので詳しい説明を省略する。つまり、帯状部３３４ａは、帯状部２３４ａと同様の構成であり、接続部３３４ｂは、接続部２３４ｂと同様の構成であり、帯状部３３６ａは、帯状部２３６ａと同様の構成であり、接続部３３６ｂは、接続部２３６ｂと同様の構成である。また、チップ抵抗器３０５における抵抗体３３０以外の構成は、実施例３のチップ抵抗器２０５と同様であるので詳しい説明を省略する。
【０１１０】
また、チップ抵抗器３０５の作用・効果も、実施例３のチップ抵抗器２０５の作用・効果と同様である。
【０１１１】
つまり、接続部３３４ｂの幅が帯状部３３４ａの幅よりも大きく形成されているとともに、接続部３３６ｂの幅が帯状部３３６ａの幅よりも大きく形成され、また、トリミングカーフＴ形成位置における抵抗体の幅が、帯状部３３４ａの幅よりも大きく形成されていて、また、帯状部３３４ａの角部Ｋ３２のＲ面を形成する輪郭線や、帯状部３３６ａの角部Ｋ３５のＲ面を形成する輪郭線は、上記楕円よりも外側に位置しているので、ターン領域における幅を十分広く確保して、抵抗体３３０のターン領域の内側の領域に電流が集中することによりその一部が破壊されても抵抗値等の電気的特性が変化してしまうことがなく、耐サージ特性を向上させることができる。
【０１１２】
また、コーナー部Ｃ３０、Ｃ３１、Ｃ３２、Ｃ３３は、曲線状（特に、略円弧状）に形成されているので、コーナー部が破壊されにくく構成され、この点でも耐サージ特性が向上されている。
【０１１３】
また、抵抗体３３０においては、トリミングカーフＴの形成位置を除く角部（つまり、角部Ｋ３０、Ｋ３１、Ｋ３２、Ｋ３３、Ｋ３４、Ｋ３５、Ｋ３６、Ｋ３７）には、Ｒ面が形成され、また、上面電極２２０、２２２の角部にはＲ面が形成されているので、各角部同士で放電が発生するおそれを小さくでき、耐サージ特性を向上させることができる。
【実施例５】
【０１１４】
次に、実施例５のチップ抵抗器について説明する。実施例５のチップ抵抗器４０５は、実施例４のチップ抵抗器３０５と略同様の構成であるが、図１０に示すように、抵抗体における両側の帯状部が外側に傾斜している点が異なる。つまり、帯状部の先端側が電極間方向の外側に傾斜している。なお、図１０は、チップ抵抗器４０５の平面図であるが、厳密には、保護膜と側面電極とメッキとを除いた状態の図であるといえる。
【０１１５】
つまり、抵抗体３３０は、抵抗体本体部３３２と、帯状部３３４ａと、接続部３３４ｂと、帯状部３３６ａと、接続部３３６ｂとを有しているが、帯状部３３４ａと帯状部３３６ａが電極間方向に直角の方向に対して傾斜して形成され、帯状部３３４ａは、その先端側が外側（Ｘ１側）に向けて傾斜して形成され、また、帯状部３３６ａは、その先端側が外側（Ｘ２側）に向けて傾斜して形成されている。つまり、帯状部３３４ａの略平行な辺部３３４ａ−１、３３４ａ−２は、ともに直線状をなし、Ｙ２側にいくほどＸ１側になるように傾斜して形成され、また、帯状部３３６ａの略平行な辺部３３６ａ−１、３３６ａ−２は、ともに直線状をなし、Ｙ１側にいくほどＸ２側になるように傾斜して形成されている。
【０１１６】
これにより、帯状部３３４ａと接続部３３４ｂと抵抗体本体部３３２とで囲まれた切欠部Ｌ１の開口角度、つまり、辺部３３４ａ−２と傾斜辺部３３２−１がなす角度や、帯状部３３６ａと接続部３３６ｂと抵抗体本体部３３２とで囲まれた切欠部Ｌ２の開口角度、つまり、辺部３３６ａ−２と傾斜辺部３３２−２がなす角度は、実施例４のチップ抵抗器３０５に比べて、より大きく形成されている。よって、切欠部Ｌ１、Ｌ２の両側の間の放電のおそれをより小さくすることができる。なお、辺部３３４ａ−１、３３４ａ−２や辺部３３６ａ−１、３３６ａ−２のＹ１−Ｙ２方向に対する傾斜角度としては、傾斜角度が大きくなると抵抗体の面積が小さくなってしまうため、１０度以下とするのが好ましい。なお、帯状部３３４ａや帯状部３３６ａはＹ１−Ｙ２方向に対して傾斜しているが、帯状部３３４ａや帯状部３３６ａにおける電極経路は、電極間方向に略直角な方向の電流経路といえる。
【０１１７】
また、帯状部３３４ａ、３３６ａが傾斜して形成されていることにより、帯状部３３４ａと上面電極２２０とによって形成される切欠部Ｌ３も、開口側にいくに従い幅広になるように形成されることになり、よって、上面電極２２０と抵抗体３３０との間の放電、特に、上面電極２２０の角部Ｋ２０と抵抗体３３０の角部Ｋ３３との間の放電や、上面電極２２２の角部Ｋ２０と抵抗体３３０の角部Ｋ３５との間の放電のおそれを小さくすることができる。
【０１１８】
なお、この実施例５のように抵抗体の帯状部を傾斜させる点は、実施例３のチップ抵抗器２０５に適用してもよく、また、実施例１のチップ抵抗器５や実施例２のチップ抵抗器１０５に適用してもよく、これにより、上面電極２２０と抵抗体３３０との間の放電のおそれを小さくすることができる。
【実施例６】
【０１１９】
次に、実施例６のチップ抵抗器について説明する。実施例６のチップ抵抗器５０５は、実施例５のチップ抵抗器４０５と略同様の構成であるが、図１１に示すように、上面電極の構成が異なる。なお、図１１は、チップ抵抗器５０５の平面図であるが、厳密には、保護膜と側面電極とメッキとを除いた状態の図であるといえる。
【０１２０】
すなわち、上面電極２２０における上面電極本体部２２０ａの抵抗体３３０と対向する辺部２２０−１が、電極間方向に直角の方向（Ｙ１−Ｙ２方向）に対して傾斜して形成されていて、該辺部２２０−１は直線状を呈し、Ｙ１側にいくほどＸ１側になるように傾斜して形成されている。同様に、上面電極２２２における上面電極本体部２２２ａの抵抗体３３０と対向する辺部２２２−１が、電極間方向に直角の方向（Ｙ１−Ｙ２方向）に対して傾斜して形成されていて、該辺部２２２−１は直線状を呈し、Ｙ２側にいくほどＸ２側になるように傾斜して形成されている。つまり、上面電極２２０と上面電極２２２は、ともに、上面電極本体部の電極間方向の幅が、電極間方向と直角な方向で突出部形成側から反対側に向けて小さくなるように形成されているといえる。
【０１２１】
これにより、帯状部３３４ａと上面電極２２０とによって形成される切欠部Ｌ３の開口角度、つまり、辺部３３４ａ−１と辺部２２０−１がなす角度や、帯状部３３６ａと上面電極２２２とによって形成される切欠部Ｌ４の開口角度、つまり、辺部３３６ａ−１と辺部２２２−１がなす角度は、実施例５のチップ抵抗器４０５に比べて、より大きく形成されている。よって、上面電極２２０、２２２と抵抗体３３０との間の放電、特に、上面電極２２０の角部Ｋ２０と抵抗体３３０の角部Ｋ３３との間の放電や、上面電極２２２の角部Ｋ２０と抵抗体３３０の角部Ｋ３５との間の放電をより防止することができる。
【０１２２】
なお、この実施例６のように上面電極本体部の抵抗体と対向する辺部を傾斜させる点は、実施例３のチップ抵抗器２０５に適用してもよく、また、実施例１のチップ抵抗器５や実施例２のチップ抵抗器１０５に適用してもよく、これにより、上面電極２２０と抵抗体３３０との間の放電のおそれを小さくすることができる。
【実施例７】
【０１２３】
次に、実施例７のチップ抵抗器について説明する。実施例７のチップ抵抗器６０５は、実施例５のチップ抵抗器４０５と略同様の構成であるが、図１２に示すように、上面電極の構成が異なる。なお、図１２は、チップ抵抗器６０５の平面図であるが、厳密には、保護膜と側面電極とメッキとを除いた状態の図であるといえる。
【０１２４】
つまり、上面電極３２０は、電極間方向に伸びた帯状を呈し、その両側側の先端にＲ面が形成されている。つまり、上面電極３２０は、方形状、特に、電極間方向に細長の長方形状を呈していて、その両側の先端の角部Ｋ２１、Ｋ２２にはＲ面が形成されている。この上面電極３２０は、絶縁基板１０の平面視におけるＸ１−Ｘ２方向の中心線を跨ぐことなく該中心線よりもＹ２側に形成されている。
【０１２５】
また、上面電極３２２は、上面電極３２０と点対称に形成されていて、電極間方向に伸びた帯状を呈し、その両側の先端の角部Ｋ２１、Ｋ２２にはＲ面が形成されている。以上のように、上面電極３２０、３２２は島状に形成されているといえる。
【０１２６】
上面電極３２０、３２２を上記のように形成することにより、上面電極３２０、３２２には抵抗体３３０と対向する領域が存在せず、よって、抵抗体３３０と上面電極３２０、３２２間の放電を防止することが可能となる。
【０１２７】
なお、この実施例７のように上面電極を島状に形成する点は、実施例３のチップ抵抗器２０５や実施例４のチップ抵抗器３０５に適用してもよく、また、実施例１のチップ抵抗器５や実施例２のチップ抵抗器１０５に適用してもよく、これにより、抵抗体３３０と上面電極３２０、３２２間の放電を防止することが可能となる。
【０１２８】
なお、実施例７のチップ抵抗器に対して、実施例１〜実施例６のチップ抵抗器の場合には、上面電極本体部が形成されているので、側面電極との接続を確実に行うことができるといえる。
【０１２９】
なお、上記各実施例において、抵抗体の抵抗体本体部におけるトリミングカーフ形成位置に図１３に示すような凹部Ｕを形成するようにしてもよい。すなわち、図１３は、実施例１のチップ抵抗器５における抵抗体３０の抵抗体本体部３２のトリミングカーフ形成位置、つまり、抵抗体本体部３２におけるＸ１−Ｘ２方向の中心位置に凹部Ｕを形成した状態を示すものであるが、この凹部Ｕは、Ｒ面が形成された角部Ｋ４０、Ｋ４１と、該角部Ｋ４０と角部Ｋ４１間に形成された曲線状の窪み部Ｋ４２により構成され、より具体的には、角部Ｋ４０、Ｋ４１は円弧状に形成されるとともに、窪み部Ｋ４２も円弧状に形成されている。
【０１３０】
そして、トリミングカーフＴは、図１３に示すように、この凹部ＵのＸ１−Ｘ２方向の中心位置から形成することにより、角部Ｋ４０と角部Ｋ４１にはＲ面が形成されているので、角部Ｋ４０と角部Ｋ４１間の放電のおそれを小さくすることができる。なお、トリミングカーフＴを形成することにより、凹部Ｕとの間で角部Ｋ４３、Ｋ４４が形成されるが、角部Ｋ４３の角度や角部Ｋ４４の角度は直角よりは角度が大きく形成されるので放電が発生するおそれを小さくでき、また、仮にトリミングカーフＴの形成位置がずれて該角度が直角に近くなった場合でも、角部Ｋ４０と角部Ｋ４１間に比べて、電位差は低くなるので、放電が発生するおそれを小さくすることができる。
【０１３１】
また、凹部の形状を図１４に示すようにしてもよい。つまり、図１４に示す凹部Ｕ’は、Ｒ面が形成された角部Ｋ４０、Ｋ４１と、角部Ｋ４０に連設された直線部Ｈ１と、角部Ｋ４１に連設された直線部Ｈ２と、直線部Ｈ１と直線部Ｈ２間に形成された曲線状の窪み部Ｋ４２により構成され、より具体的には、角部Ｋ４０、Ｋ４１は円弧状に形成されるとともに、窪み部Ｋ４２も円弧状に形成されている。
【０１３２】
そして、トリミングカーフＴは、図１４に示すように、この凹部Ｕ’のＸ１−Ｘ２方向の中心位置から形成することにより、角部Ｋ４０と角部Ｋ４１にはＲ面が形成されているので、角部Ｋ４０と角部Ｋ４１間の放電のおそれを小さくすることができる。なお、トリミングカーフＴを形成することにより、凹部Ｕ’との間で角部Ｋ４３、Ｋ４４が形成されるが、角部Ｋ４３の角度や角部Ｋ４４の角度は直角よりは角度が大きく形成されるので放電が発生するおそれを小さくでき、また、仮にトリミングカーフＴの形成位置がずれて該角度が直角に近くなった場合でも、角部Ｋ４０と角部Ｋ４１間に比べて、電位差は低くなるので、放電が発生するおそれを小さくすることができる。特に、図１４に示す凹部Ｕ’の場合には、角部Ｋ４３、Ｋ４４が形成される位置が凹部Ｕに比べてより奥側となるので、角部Ｋ４３と角部Ｋ４４間の電位差はより小さくなり、放電が発生するおそれを小さくすることができる。
【０１３３】
なお、図１３、図１４は、実施例１のチップ抵抗器５の抵抗体３０に凹部を形成する場合の例であるが、上記の他の実施例におけるチップ抵抗器に適用してもよい。
【０１３４】
また、上記各実施例の説明においては、抵抗体や上面電極の角部にＲ面が形成されているとして説明したが、Ｒ面の代わりにＣ面を形成してもよい。
【０１３５】
また、上記各実施例において、抵抗体は、上面電極の上面に積層して形成されているものとして説明したが、上面電極が抵抗体の上面に積層して形成されている構成としてもよい。
【０１３６】
また、上記各実施例において、上面電極は、絶縁基板の相対する短辺に沿って形成されているとして説明したが、相対する長辺に沿って形成したものであってもよい。
【図面の簡単な説明】
【０１３７】
【図１】実施例１におけるチップ抵抗器の平面図である。
【図２】実施例１におけるチップ抵抗器の底面図である。
【図３】実施例１における断面図であり、特に、図１のＡ−Ａ位置における断面図である。
【図４】実施例１におけるチップ抵抗器の要部拡大図である。
【図５】実施例１におけるチップ抵抗器の説明図である。
【図６】実施例２におけるチップ抵抗器の平面図である。
【図７】実施例３におけるチップ抵抗器の平面図である。
【図８】実施例３におけるチップ抵抗器の要部拡大図である。
【図９】実施例４におけるチップ抵抗器の平面図である。
【図１０】実施例５におけるチップ抵抗器の平面図である。
【図１１】実施例６におけるチップ抵抗器の平面図である。
【図１２】実施例７におけるチップ抵抗器の平面図である。
【図１３】抵抗体の形状の他の例を示す平面図である。
【図１４】抵抗体の形状の他の例を示す平面図である。
【図１５】従来におけるチップ抵抗器の構成を示す平面図である。
【符号の説明】
【０１３８】
５、１０５、２０５、３０５、４０５、５０５、６０５、１００５  チップ抵抗器
１０  絶縁基板
２０、２２、２２０、２２２、３２０、３２２  上面電極
２０ａ、２２ａ、２２０ａ、２２２ａ  上面電極本体部
２０ｂ、２２ｂ、２２０ｂ、２２２ｂ  突出部
３０、１３０、２３０、３３０  抵抗体
３２、１３２、２３２、３３２  抵抗体本体部
３４ａ、３６ａ、１３４ａ、１３６ａ、２３４ａ、２３６ａ、３３４ａ、３３６ａ  帯状部
３４ｂ、３６ｂ、１３４ｂ、１３６ｂ、２３４ｂ、２３６ｂ、３３４ｂ、３３６ｂ  接続部
ＴＲ  ターン領域
４０  保護膜
６０  側面電極
７０  メッキ
【図１】
2008305985.tif 000003
【図２】
2008305985.tif 000004
【図３】
2008305985.tif 000005
【図４】
2008305985.tif 000006
【図５】
2008305985.tif 000007
【図６】
2008305985.tif 000008
【図７】
2008305985.tif 000009
【図８】
2008305985.tif 000010
【図９】
2008305985.tif 000011
【図１０】
2008305985.tif 000012
【図１１】
2008305985.tif 000013
【図１２】
2008305985.tif 000014
【図１３】
2008305985.tif 000015
【図１４】
2008305985.tif 000016
【図１５】
2008305985.tif 000017